(57)【要約】【課題】コンパクト化及びローコスト化を実現しつつ、空調工事をすることなく簡単にかつ局所的に設置することができる仮設型空調ユニットを提案すること。【解決手段】仮設型空調ユニットは、少なくとも複数の支柱とこれらを連結する４つの架設ブロックを有する組立式のフレーム構造体と、このフレーム構造体を全体的に覆い該フレーム構造体の内部に環境空間を形成する遮熱シートと、この遮熱シートの一側壁の下部の左右縦切り込み縁部にそれぞれ設けられた一対の開閉手段と、この開閉手段を介して開閉することができる遮熱シートの開閉部分と、この開閉部分を下端部から巻いて巻き上げ部分を形成すると共に、該巻き上げた個所に出来た下方開口部に嵌め込まれ、かつ、その箱体の上壁で巻き上げ部分を支持すると共に環境空間に冷気を放出及び外部に排熱する内外のダクトを備えたスポットクーラーとから成る。【選択図】図６
2014114987.tif 000002
【特許請求の範囲】
【請求項１】
少なくとも複数の支柱とこれらを連結する４つの架設ブロックを有する組立式のフレーム構造体と、このフレーム構造体を全体的に覆い該フレーム構造体の内部に環境空間を形成する遮熱シートと、この遮熱シートの一側壁の下部の左右縦切り込み縁部にそれぞれ設けられた一対の開閉手段と、この開閉手段を介して開閉することができる前記遮熱シートの開閉部分と、この開閉部分を下端部から巻いて巻き上げ部分を形成すると共に、該巻き上げた個所に出来た下方開口部に嵌め込まれ、かつ、その箱体の上壁で前記巻き上げ部分を支持すると共に前記環境空間に冷気を放出及び外部に排熱する内外のダクトを備えたスポットクーラーとから成る仮設型空調ユニット。
【請求項２】
請求項１に於いて、フレーム構造体には、矩形状に組み立てられた水平状態の上部支柱を構成する一組の短いパイプ又は長いパイプの中央部のいずれかに、一組の中央部ジョイントを介して１本の棟パイプが架け渡されていることを特徴とする仮設型空調ユニット。
【請求項３】
請求項１又は請求項２に於いて、架設ブロックは、支柱パイプの上端部に嵌合する筒状本体と、この筒状本体の外面から９０度の角度を有して水平方向に突出する二つの短筒状の連結部分とから成り、さらに、前記短筒状の連結部分には、上部支柱用の抜脱防止部が形成されていることを特徴とする仮設型空調ユニット。
【請求項４】
請求項１に於いて、前後の支柱同士は、交差筋バー又は矩形状連結フレームのいずれかで連結されていることを特徴とする仮設型空調ユニット。
【請求項５】
請求項１に於いて、フレーム構造体は、さらに、中央部ジョイント部材を備え、この中央部ジョイント部材は、上部支柱の中央部に嵌合するＴ字型の第１連結筒と、この第１連結筒に嵌合すると共に棟パイプの端部に嵌合するＬ型の第２連結筒とから成ることを特徴とする仮設型空調ユニット。
【請求項６】
請求項１に於いて、組立式のフレーム構造体は、前後一対の屋根型上部フレーム４０を有し、これらの屋根型上部フレームは、それぞれ左右一対の架設ブロック５Ａ、５Ａを有する三角形状の前後フレーム４１、４１と、前後フレームの中央部に上下の支持片１６Ａ、１６Ａを介してそれぞれ垂設された前後一対の垂直フレーム１７Ａ、１７Ａと、前記上下の支持片１６Ａ、１６Ａにそれぞれ架設された上下一対の棟パイプ７Ａ、７Ａとから成ることを特徴とする仮設型空調ユニット。
【請求項７】
少なくとも複数の支柱とこれらを連結する４つの架設ブロックを有する組立式のフレーム構造体と、このフレーム構造体を全体的に覆い該フレーム構造体の内部に環境空間を形成する遮熱シートと、この遮熱シートの一側壁の下部の左右縦切り込み縁部及び横切り込み縁部にそれぞれ設けられた開閉手段と、この開閉手段を介して着脱自在に装着する前記遮熱シートの開閉部分と、この開閉部分を下端部から巻いて巻き上げ部分を形成し、又は開閉部分を前記左右縦切り込み縁部及び横切り込み縁部から取り外して出来た下方開口部に嵌め込まれると共に前記環境空間に冷気を放出及び外部に排熱する内外のダクトを備えたスポットクーラーとから成る仮設型空調ユニット。
【発明の詳細な説明】
【技術分野】
【０００１】
本発明は、室内外を問わず、工場の作業現場、建築・土木の作業現場等に於いて、局所スポット的に設置することができる仮設型空調ユニットに関する。
【背景技術】
【０００２】
特許文献１には、複数のパイプフレームを屋根型に組合せたＦ式コンパクトテントが記載されている。しかし、このＦ式コンパクトテントの屋根は合掌パイプ方式なので、左右の合掌パイプと左右の支柱に架け渡した短い梁パイプとの連結の強化を十分に図ることができないという問題点がある。また特許文献１のパイプフレームの結合構造に小突起状のストッパー４を有する圧縮バネ６を用いているので、部品点数が多くなると共に、圧縮バネ６そのものが位置ずれを起こし、或いは破損する恐れがある。
【０００３】
特許文献２の図１は、特許文献１を改良したものであるが、特許文献１と同様に、屋根は合掌パイプ方式なので、左右の合掌パイプと左右の支柱に架け渡した短い梁パイプとの連結の強化を十分に図ることができないという問題点がある。さらに、前後の支柱は上部の桁パイプで連結されているのみなので、支柱同士の結合強度が十分ではない。
【０００４】
特許文献３には、モバイル（移動型）の空調ユニットが記載されている。このモバイルの空調ユニットは、テント式のシートを蛇腹方式のテントフレームに掛け、該シートを介して空間を内外に仕切り、内部空間を冷やす考え方であるが、該モバイル空調ユニットは、下部にキャスター４が装着された共通架台３と、共通架台３に設置され圧縮機、室外熱交換器、四方弁を有する屋外機２と、屋外機２と冷媒配管５で接続され下部から空気を吸い込み熱交換して側面から吹出す天吊屋内機１と、屋外機２及び天吊屋内機１を駆動する電源と、一側面の略中央に共通架台３が設けられ、対向する側面にのれん型の出入口が設けられ一側面から対向する側面の方向にシートが蛇腹状に伸縮自在となるようにされた移動式テントとから成るので、空調システムが複雑であるという問題点がある。付言すると、空調システムは、家庭・事務所・会社等の建物に設置されている、いわゆる冷却部と放熱部が別個独立のエアコンなので、コスト高になる、空調ユニットの設置に時間がかかる等の問題点がある。
【０００５】
特許文献４にも、「仮設設備用エアコン装置」が記載されているが、このエアコン装置も、特許文献３と同様に、屋外機と屋内機が別個である、設置に手間が掛かる、工事が必要である、コスト高になる等の理由から、特許文献３と同様の問題点がある。なお、符号は各特許文献に記載のものである。
【先行技術文献】
【特許文献】
【０００６】
【特許文献１】実開昭５６−６２３３
【特許文献２】実用新案登録第２５０１９２７号の図１
【特許文献３】特開２００６−１２５７９２
【特許文献４】特許第４７３６７３０号
【発明の概要】
【発明が解決しようとする課題】
【０００７】
本願発明の所期の目的は、コンパクト化及びローコスト化を実現しつつ、空調工事をすることなく簡単にかつ局所的に設置することができる仮設型空調ユニットを提案することである。第２の目的は、遮熱シートの上部に雨水が溜まらないようにすることである。第３の目的は、フレーム構造体の組立作業性・結合強度性を図ることである。第４の目的は、支柱同士の捩じれ防止性を図ることである。加えて、立式のフレーム構造体を強靭にすることである。
【課題を解決するための手段】
【０００８】
本発明の仮設型空調ユニットは、少なくとも複数の支柱とこれらを連結する４つの架設ブロックを有する組立式のフレーム構造体と、このフレーム構造体を全体的に覆い該フレーム構造体の内部に環境空間を形成する遮熱シートと、この遮熱シートの一側壁の下部の左右縦切り込み縁部にそれぞれ設けられた一対の開閉手段と、この開閉手段を介して開閉することができる前記遮熱シートの開閉部分と、この開閉部分を下端部から巻いて巻き上げ部分を形成すると共に、該巻き上げた個所に出来た下方開口部に嵌め込まれ、かつ、その箱体の上壁で前記巻き上げ部分を支持すると共に前記環境空間に冷気を放出及び外部に排熱する内外のダクトを備えたスポットクーラーとから成ることを特徴とする。
【０００９】
また本発明の仮設型空調ユニットは、少なくとも複数の支柱とこれらを連結する４つの架設ブロックを有する組立式のフレーム構造体と、このフレーム構造体を全体的に覆い該フレーム構造体の内部に環境空間を形成する遮熱シートと、この遮熱シートの一側壁の下部の左右縦切り込み縁部及び横切り込み縁部にそれぞれ設けられた開閉手段と、この開閉手段を介して着脱自在に装着する前記遮熱シートの開閉部分と、この開閉部分を下端部から巻いて巻き上げ部分を形成し、又は開閉部分を前記左右縦切り込み縁部及び横切り込み縁部から取り外して出来た下方開口部に嵌め込まれると共に前記環境空間に冷気を放出及び外部に排熱する内外のダクトを備えたスポットクーラーとから成ることを特徴とする。
【００１０】
上記構成に於いて、フレーム構造体には、矩形状に組み立てられた水平状態の上部支柱を構成する一組の短いパイプ又は長いパイプの中央部のいずれかに、一組の中央部ジョイントを介して１本の棟パイプが架け渡されていることを特徴とする。また架設ブロックは、支柱パイプの上端部に嵌合する筒状本体と、この筒状本体の外面から９０度の角度を有して水平方向に突出する二つの短筒状の連結部分とから成り、さらに、前記短筒状の連結部分には、上部支柱用の抜脱防止部が形成されていることを特徴とする。さらに、前後の支柱同士は、交差筋バーで連結されていることを特徴とする。
【００１１】
加えて、組立式のフレーム構造体は、前後一対の屋根型上部フレーム４０を有し、これらの屋根型上部フレームは、それぞれ左右一対の架設ブロック５Ａ、５Ａを有する三角形状の前後フレーム４１、４１と、前後フレームの中央部に上下の支持片１６Ａ、１６Ａを介してそれぞれ垂設された前後一対の垂直フレーム１７Ａ、１７Ａと、前記上下の支持片１６Ａ、１６Ａにそれぞれ架設された上下一対の棟パイプ７Ａ、７Ａとから成ることを特徴とする。
【発明の効果】
【００１２】
（ａ）請求項１及び請求項６に記載の発明は、環境空間に冷気を放出及び外部に排熱する内外のダクトを備えたスポットクーラーを、遮熱シートの開閉部分の、該開閉部分を下端部から巻き上げた個所に出来た下方開口部に嵌め込む方式なので、コンパクト化及びローコスト化を実現しつつ、空調工事をすることなく簡単に局所的に設置することができる。
（ｂ）請求項２に記載の発明は、１本の棟パイプが架け渡されているので、遮熱シートの上部に雨水が溜まらない。付言すると、雨水は、遮熱シートの上部から下方へと流れ落ちる。
（ｃ）請求項３に記載の発明は、フレーム構造体の組立作業性・結合強度性を図ることができる。
（ｄ）請求項４に記載の発明は、支柱パイプに架設された上部支柱の中央部と棟パイプの結合強度性を図ることができる。
（ｅ）請求項５に記載の発明は、支柱同士の捩じれ防止性を図ることができる。
（ｆ）請求項６に記載の発明は、より一層、フレーム構造体の組立作業性・結合強度性を図ることができる。
【図面の簡単な説明】
【００１３】
【図１】第１実施形態のフレーム構造体の斜視図。
【図２】架設ブロックの構造を示す説明図。
【図３】中央部ジョイント部材の説明図。
【図４】遮熱シートの斜視図。
【図５】遮熱シートの開閉手段を操作して開閉部分を巻き上げた個所に出来た下方開口部にスポットクーラーを設置した斜視からの説明図。
【図６】遮熱シートとスポットクーラーの位置関係を示す概略説明図。
【図７】スポットクーラーの概略説明図。
【図８】第２実施形態の斜視図。
【図９】遮熱シートの正面壁の中央下部から開閉手段を介して開閉部分を取り外した状態の説明図。
【図１０】遮熱シートとスポットクーラーの位置関係を示す概略説明図。
【図１１】要部の第２実施形態を示す説明図。
【図１２】要部の第３実施形態を示す説明図。
【発明を実施するための最良の形態】
【００１４】
図１乃至図７は、仮設型空調ユニットＸの第１実施形態を示す各説明図である。まず、図１は組立式のフレーム構造体１の斜視図である。このフレーム構造体（ビディ枠）１は、少なくとも合計４本の支柱パイプ２（２ａ、２ｂ）と、水平状態の上部支柱を構成する一組の短いパイプ３（３ａ、３ｂ）及び長いパイプ４（４ａ、４ｂ）と、前記支柱パイプ２の上端部、前記短いパイプ３の両端部及び前記長いパイプ４の両端部を一体的に連結する合計４個の架設ブロック５と、前記一組の短いパイプ３ａ又は長いパイプ４のいずれかの中央部に固定的に配設される一組の中央部ジョイント部材６と、これらの中央部ジョイント部材６に、その両端部がそれぞれ水平状態に連結（架設）される１本の棟パイプ７とから成る。
【００１５】
その他、結合強度性を図るために、前後の支柱２ａ、２ｂ同士には、その中央部が鋏み揺動するＸ型の交差筋バー８（８ａ、８ｂ）が加味（連結）されている。
【００１６】
そして、上記４本の支柱パイプ２の下端部に脚座９が取り外し可能に設けられている。なお、特に図示しないが、支柱パイプ２の下端部にキャスターを取外し可能に装着すると、フレーム構造体１は前後左右に移動自在となる。
【００１７】
図１を基準にして、さらに各部の支柱２、３、４の左右・前後を説明すると、２ａは前の支柱パイプ、２ｂは後の支柱パイプ、３ａは前の短いパイプ、３ｂは後の短いパイプ、４ａは左の長いパイプ、４ｂは右の長いパイプである。したがって、８ａは左の交差筋バー、８ｂは右の交差筋バーに成る。コーナーの４つの架設ブロック５の前後・左右、並びに中央ジョイント部材６の前後も同様である。
【００１８】
次に、図２は縦方向の支柱パイプ２ａ、２ｂ及び横方向の上部支柱３ａ、３ｂ、４ａ、４ｂを取外し可能に連結する複数個の架設ブロック５の概略を示している。実施形態で示す４つの架設ブロック５は、フレーム構造体１の上部の各コーナーに位置し、三つの方向の支柱２、４、６をそれぞれ一体的に結合する。ここでは図２を参照にして、右側前方の架設ブロック５を例にして説明する。なお、他の架設ブロック５も同一構成である。
【００１９】
架設ブロック５は、円筒状又は角筒状（実施形態）の筒状本体５ａと、この筒状本体の外面（左側面と背面）から９０度の角度を有して水平方向に突出する二つの短筒状の連結部分５ｂ、５ｃとから成り、前記筒状本体５ａには右側前方の支柱パイプ２ａの上端部が嵌入し、あるいは筒状本体５ａが前記支柱パイプ２ａの上端部に外嵌合する。そして、一方の短筒状の連結部分５ｂには前の短いパイプ３ａの右端部が嵌入し、他方の端筒状連結部分５ｃには右の長いパイプ４ｂの先端部が嵌入する。
【００２０】
ところで、水平方向の上部支柱３ａ、４ｂと水平方向の短筒状連結部分５ｂ、５ｃには、上部支柱用の抜脱防止手段１１の一部がそれぞれ形成されている。この抜脱防止手段１１は、実施形態では、上部支柱３ａ、４ｂの端部にそれぞれ設けられた係合突起１２、１２と、短筒状連結部分５ｂ、５ｃにそれぞれ形成された案内切欠１３、１３とから成り、前記案内切欠１３は、係合突起１２を案内する差し込み方向の第１切欠１３ａと、この第１切欠１３ａの内端部に直交方向に連通する周方向の係止用第２切欠１３ｂとから成る。
【００２１】
次に、図３は中央部ジョイント部材６の構成を示す。１６はＴ字型の第１連結筒で、この第１連結筒１６は、水平方向の短いパイプ３ａ、３ｂの略中央部に外嵌合する横筒部分１６ａと、この横筒部分１６ａの中央部から上方に連設する縦筒部分１６ｂとから成る。
１７は前記第１連結筒１６の縦筒部分１６ｂに連結するＬ型の第２連結筒で、この第２連結筒１７は、前述した短い縦筒部分１６ｂの嵌入する縦連結杆１７ａと、この縦連結杆１７ａに水平方向に連設する横連結枠１７ｂとから成る。そして、図１で示すように、前後の中央部ジョイント６、６の各横連結杆１７ｂ、１７ｂには、一本の棟パイプ７の先端部と後端部が嵌入する。
【００２２】
付言すると、実施形態では、後述する遮熱シート２１の屋根を形成するために、前後の短いパイプ３ａ、３ｂの中央部に前後の中央部ジョイント部材６、６を介して一本の棟パイプ７が架設されている。
【００２３】
次に、図４は遮熱シート２１の斜視図である。この遮熱シート２１は、全体として、普通一般の切妻屋型形態をしている。テント式遮熱シート２１自体の形状・材質・覗き窓部分等は周知事項なので、詳細な説明を割愛する。
【００２４】
実施形態のテント式遮熱シート２１は、例えば一側壁に相当する正面壁２１ａの中央部の下部に、左右縦切り込みを形成し、これら左右縦切り込み縁部に１対の開閉手段２２を設けている。開閉手段２２は、例えば務歯２２ａと、務歯２２ａを摺動するスライダー操作片２２ｂとから成る対向端接続タイプのファスナーである。
【００２５】
前記スライダー操作片２２ｂを下方から上方に移動させると、遮熱シート２１の矩形状の開閉部分２３は、左右の部位から離れるので、該開閉部分２３をその下端部から巻くと、ロール状の巻き上げ部分２３ａができると同時に下方開口部２４ができる。
【００２６】
図５は、遮熱シート２１の左右の開閉手段２２のスライダー操作片２２ｂを操作して、中央下部の開閉部分２３を巻き上げた個所に出来た下方開口部２４にスポットクーラー３０を嵌合設置した斜視からの説明図である。本実施形態では、図５及び図６で示すように、スポットクーラー３０の箱体の上壁３０ａの中央部（中央部寄りの部位も含む）に、遮熱シート２１の正面壁２１ａが位置するように、或いは前記正面壁２１ａを基準として、仮設型空調ユニットＸの外部に熱を放出する排熱ダクト３１は正面壁２１ａの前方に位置するように、一方、仮設型空調ユニットＸの内部に相当する環境空間３３に冷風を放出する冷気ダクト３２は正面壁２１ａの後方に位置するように設置する。そして、前述した開閉部分２３のロール状巻き上げ部分２３ａは、スポットクーラー３０の上壁３１ａに支持される（図６参照）。なお、３４は適宜箇所に設けられた透明シート部分である。
【００２７】
図７はスポットクーラーの概略説明図である。「スポットクーラー３０」と称されるエアコン装置は、冷風発生部３５と熱放出部３６が一つのハウジング（箱体）の内部に区画された状態でそれぞれ設けられており、前記冷風発生部３５側には前述した冷気ダクト３２が接続手段を介して設けられ、一方、前記熱放出部３６側には前述した排熱ダクト３１が接続手段を介して設けられている。
【００２８】
スポットクーラー３０は、コンパクな箱型形態をしており、容易に持ち運びすることができる。その具体的な構成は、例えば特開平１０−２８１４９６号公報等に記載されている（例えば段落０００２、段落０００３等）ので、詳細な説明は割愛する。
【００２９】
ところで、スポットクーラー３０の構成は公知・新規如何を問わない。また、例えば架設ブロック５の連結部分５ｂ、５ｃに上部支柱の短いパイプ３ａの端部を嵌め込む際は、抜脱防止手段１１の一方を構成する係合突起１２を、該抜脱防止手段１１の他方を構成する案内切欠１３に挿入するようにしてから適宜周方向に所定量回すと、前記係合突起１２は第２切欠１３ｂの縁部分に係止される。さらに、複数の支柱２、３、４、交差筋バー８等の連結は、係合ピン、係合小孔、固着具用穴、固着具等を選択的に用いて適宜に連結されている。加えて、補助的に水平支持杆を前後の支柱パイプの上端部寄りの部位に架設しても良い。
【実施例】
【００３０】
図８乃至図１０を参照にして、本発明の異なる実施形態について説明する。図８乃至図１０は主要部を構成する遮熱シート２１Ａの各説明図である。ここで、説明の便宜上、遮熱シート２１Ａを有する仮設型空調ユニットＸ１を第２実施形態とする。そして、第１実施形態と同一の部分には、同一の符号を付して重複する説明を割愛する。
【００３１】
第２実施形態の仮設型空調ユニットＸ１は、遮熱シート２１Ａを有するが、この遮熱シート２１Ａの開閉部分２３Ａは、開閉手段２２Ａを介して、左右縦切り込み縁部及び横切り込み縁部から自在に取り外し可能である。前記開閉手段２２Ａは、オス・メスの面接続タイプのファスナーである。
【００３２】
したがって、遮熱シート２１Ａの正面壁２１ａの中央下部から遮熱シート２１Ａを取り外すと、下方開口部２４Ａが出来上がる。この第２実施形態の仮設型空調ユニットＸ１に於いても、前記下方開口部２４Ａにスポットクーラー３０を嵌合設置するので、第１実施形態のそれと同一の効果を得ることができる（図１０参照）。
【００３３】
なお、本実施形態では、一つの仮設型空調ユニット（Ｘ、Ｘ１）を示したが、図示しない連結手段を介して、前後方向又は左右方向に他の仮設型空調ユニット（Ｘ、Ｘ１）を連結しても良い。このような実施形態の場合には、遮熱シート（２１、２１Ａ）の大きさ、連結部位、切欠部等は適宜に作られる。
【００３４】
ところで、本発明では、組立式のフレーム構造体の具体的構成は、本発明の付随的な構成要素なので、便宜上ここで説明する。まず図１１は、組立式のフレーム構造体の要部の第２実施形態を示す。この要部はフレーム構造体の上部側に特徴がある。
【００３５】
すなわち、第２実施形態は、組立式のフレーム構造体の強靭化を得るために、前後一対の屋根型上部フレーム４０を有し、これらの屋根型上部フレーム４０は、それぞれ左右一対の架設ブロック５Ａ、５Ａを有する三角形状の前後フレーム４１、４１と、前後フレームの中央部に上下の支持片１６Ａ、１６Ａを介してそれぞれ垂設された前後一対の垂直フレーム１７Ａ、１７Ａと、前記上下の支持片１６Ａ、１６Ａにそれぞれ架設された上下一対の棟パイプ７Ａ、７Ａとから成る。このように第１実施形態の組立式のフレーム構造体の上部側を図１１で示すものに置換しても良い。要するに、フレーム構造体の具体的構成は、強靭化するために色々と設計変更をすることが可能である。
【００３６】
また図１２は、組立式のフレーム構造体の付随的な補強部分を、交差筋バー８から、ユニット型の矩形状連結フレーム８Ｂに置換した一例である。この矩形状連結フレーム８Ｂは、例えば支持パイプ２の上端部或いは中央部寄りの部位に設けた鍔状のストッパー４５に、その下端部が支持される長筒状の前後一対の嵌合杆４６、４６と、これら前後の嵌合杆に連結された上下の連結バー４７、４７から構成されている。
【産業上の利用可能性】
【００３７】
本発明は、工場の作業現場、建築・土木の作業現場等に於いて、局所スポット的に設置されるので、特に、建築工事・土木工事の際に利用される。
【符号の説明】
【００３８】
Ｘ、Ｘ１…仮設型空調ユニット、
１…フレーム構造体、
２…支柱パイプ、
３、４…上部支柱、
５…架設ブロック、
６…中央部ジョイント部材、
７…棟パイプ、
８…交差筋バー、
１１…抜脱防止手段、
１２…係合突起、
１３…案内切欠、
１６…第１連結筒、
１７…第２連結筒、
２１、２１Ａ…遮熱シート、
２２、２２Ａ…開閉手段、
２３、２３Ａ…開閉部分、
２３ａ…巻き上げ部分、
２４，２４Ａ…下方開口部、
３０…スポットクーラー、
３０ａ…箱体の上壁、
３１…排熱ダクト、
３２…冷気ダクト、
３３…環境空間。
【図１】
2014114987.tif 000003
【図２】
2014114987.tif 000004
【図３】
2014114987.tif 000005
【図４】
2014114987.tif 000006
【図５】
2014114987.tif 000007
【図６】
2014114987.tif 000008
【図７】
2014114987.tif 000009
【図８】
2014114987.tif 000010
【図９】
2014114987.tif 000011
【図１０】
2014114987.tif 000012
【図１１】
2014114987.tif 000013
【図１２】
2014114987.tif 000014